(57)【要約】  取付けられた取手手段を有する支持構造体を有する、はさみあるいはシャーの右利き用あるいは左利き用ブレードの一方を研ぐための手動式研ぎ器である。磁気手段が、前記支持構造体上の少なくとも１つの研磨パッドを保持する。１つ以上の高精度アングルブレードガイドが、前記構造体に取り付け自在である。
2007502217.tif 000002
【特許請求の範囲】
【請求項１】
取付けられた取手手段を有する支持構造体、
前記支持構造体上の少なくとも１つの研磨パッドを保持するための磁気手段、および、
前記構造体に取り付け自在かつ異なる角度で研ぐための、１つ以上の高精度アングルブレードガイド
有することを特徴とする
はさみおよびシャーの右利き用あるいは左利き用ブレードの一方を研ぐための手動式研ぎ器。
【請求項２】
前記研磨パッド上の研磨材は、ダイヤモンドであることを特徴とする請求項１に記載のはさみおよびシャーのブレードを研ぐための手動式研ぎ器。
【請求項３】
前記高精度アングルブレードガイドは、前記支持構造体に対し、取り付け、スライド自在に保持、および、取り外し自在であり、前記支持構造体に対する前記ガイドの取り付け、前記支持構造体からの前記ガイドの取り外し、および、前記支持構造体に対する前記ガイドの交換を容易にしている
ことを特徴とする請求項１に記載のはさみおよびシャーのブレードを研ぐための手動式研ぎ器。
【請求項４】
前記パッドは、前記支持構造体の本体部位に取り付けられており、
前記ガイドは、前記本体部位とサイズおよび形状が合致し、かつ前記パッド上のスライド自在に取り付けられる略逆Ｕ字形スリーブを有し、
前記スリーブは、上方へ延長しているプレートを有し、
前記プレートは、前記パッドの上方に位置するガイド面を含んでいる
ことを特徴とする請求項３に記載のはさみおよびシャーのブレードを研ぐための手動式研ぎ器。
【請求項５】
前記プレートは、前記スリーブから離れるように傾斜し、また、前記プレートを貫通する少なくとも１つの穴部が形成されており、それを介して見ることが許容されることを特徴とする請求項４に記載のはさみおよびシャーのブレードを研ぐための手動式研ぎ器。
【請求項６】
前記本体部は、前記本体部位の底部の下に、内向き延長フランジを含んでいることを特徴とする請求項５に記載のはさみおよびシャーのブレードを研ぐための手動式研ぎ器。
【請求項７】
前記ガイドは、前記支持構造体からスライド式に取り外し自在であることを特徴とする請求項６に記載のはさみおよびシャーのブレードを研ぐための手動式研ぎ器。
【請求項８】
前記研磨パッドの下方で、前記本体部位に区画が存在し、また、前記区画へのアクセスを選択的に開閉するためのカバー部が存在することを特徴とする請求項６に記載のはさみおよびシャーのブレードを研ぐための手動式研ぎ器。
【請求項９】
前記区画には、追加的パッドが貯蔵されており、前記パッドおよび前記追加的パッドは、異なる研磨特性を有することを特徴とする請求項８に記載のはさみおよびシャーのブレードを研ぐための手動式研ぎ器。
【請求項１０】
前記パッドにおける前記本体部位において前記パッドの取り外しを容易にするための凹部が存在することを特徴とする請求項９に記載のはさみおよびシャーのブレードを研ぐための手動式研ぎ器。
【請求項１１】
前記支持構造体には、複数の前記ガイドが取り付けられており、前記ガイドは、互いに異なる角度のガイド面を有することを特徴とする請求項１に記載のはさみおよびシャーのブレードを研ぐための手動式研ぎ器。
【請求項１２】
前記支持構造体は、前記支持構造体に取り付けられた少なくとも２つの前記高精度アングルブレードガイドを、同時に支持し得ることを特徴とする請求項１に記載のはさみおよびシャーのブレードを研ぐための手動式研ぎ器。
【請求項１３】
支持構造体、
異なる研磨特性を有する少なくとも２つの交換自在研磨パッドのセット、および、
１つ以上の高精度アングルガイドを有し、
前記パッドの各々は、前記支持構造体に対し、選択的かつ着脱自在に取り付けられており、
前記ガイドは、前記支持構造体に対し、取り付け、スライド自在に保持、および、取り外し自在であり、前記支持構造体に対する前記ガイドの取り付け、前記支持構造体からの前記ガイドの取り外し、および、前記支持構造体の交換を容易にしている
ことを特徴とする
はさみおよびシャーの右利き用および左利き用ブレードを研ぐための手動式研ぎ器。
【請求項１４】
前記支持構造体に区画が存在し、また、前記区画を選択的に開閉するためのカバー部が存在し、
前記パッドの１つは、前記アングルガイドにおいて、および下方で、前記支持構造体に取り付けられ、また、前記パッドの別の１つは、前記区画に貯蔵されている
ことを特徴とする請求項１３に記載のはさみおよびシャーのブレードを研ぐための手動式研ぎ器。
【請求項１５】
右利き用および左利き用のはさみおよびシャーのブレードを研ぐための手動式研ぎ器であって、
支持構造体、および、
前記ブレードを研ぐための角度を調整するための高精度調整自在ガイド支持構造体
を有することを特徴とする
右利き用および左利き用のはさみおよびシャーのブレードを研ぐための手動式研ぎ器。
【請求項１６】
取付けられた取手構造体を有する支持構造体を有し、
前記支持構造体は、前記支持構造体上の１つ以上の高精度アングルガイドを、スライド式かつ反転自在に保持するようにデザインされ、逆利きの人による逆利き用はさみに対応していることを特徴とする
左利きの人あるいは右利きの人によって便利に右利き用および左利き用のはさみを研ぐための手動式研ぎ器。
【発明の詳細な説明】
【技術分野】
【０００１】
関連出願についての相互参照
本出願は、２００３年８月１３日に出願された仮出願第６０／４９４６８０号に基づく。
【０００２】
本発明の分野
本発明は、多種多様な、右利き用あるいは左利き用のはさみ、シャーおよび類似した切断用治具を、研ぐための改良された万能手動式はさみ研ぎ器に、関する。
【背景技術】
【０００３】
発明の背景
これまでの利用可能な手動式はさみ研ぎ器は、信頼性、精度および汎用性の欠如のため、不成功に終わっている。それらは、正確な研ぎ角度、エッジをプレ研ぎ（ｐｒｅｓｈａｒｐｅｎ）するための角度、あるいは異なるタイプのはさみのために必要である高精度アングルガイドの種類を、提供するための手段を、欠いていた。したがって、ユーザは、はさみをよく傷つるため、非常に欲求不満となる。それらを正確に研ぐための作業を複雑にする、多くの明確な異なるタイプのはさみが、存在する。成功裏にはさみを研ぐことは、はさみタイプの識別と、多様なタイプを研ぎ（ホーニングし）、プレ研ぎするための正確かつ高精度アングルガイドの選択とを、必要とする。不適切にはさみを研ぐことは、はさみの効果を全く失くす虞がある。
【発明の開示】
【０００４】
発明の要約
本発明は、改良された手動式はさみ研ぎ器を記述しており、当該研ぎ器は、異なるタイプのはさみのための適当な研ぎ角度にセットされた高精度アングルガイドを容易に選択し、簡単に交換するための手段と、各研ぎステップのために必要な研磨材あるいは研磨グリットのサイズを、容易に変更するための手段を、提供する。対象の研ぎ器においては、より効率的な研磨材が使用されて、研ぎプロセスが高速化されており、また、迅速かつ最小の手動労力を有し、良好なエッジを形成するために必要とされる金属の除去量を最小化するための手段が、提供される。これらの要素の全ては、手動式はさみ研ぎを成功させるために必要である。手動ではさみを研ぐことは、非常に手間がかかる。手動で、はさみのエッジから金属を除去するプロセスは、結果として、低速かつ時間がかかり、損傷を生じさせる、間違った角度の研ぎストロークを実行する、あらゆる機会を提供する。適当な装置なしでは、ストローク後において同じ角度のストロークを、手動式に保持することは、実際上、不可能である。
【０００５】
はさみとナイフとは、明確に異なっており、根本的に異なる角度で研がねばならない。ナイフエッジは、そのエッジにおいて、一般的にトータルで２５〜５０度である非常に鋭いトータル角度で、研がれる。ナイフは、これらの比較的小さな角度で、材料を切断するプロセスによって、切れる。
【０００６】
はさみは、１対の合わせブレード（ｍａｔｉｎｇ  ｂｌａｄｅ）を有して、構成されており、各ブレード上のカッティングファセットは、最も一般的には、ブレードの合せ面（ｍａｔｉｎｇ  ｓｕｒｆａｃｅ）に対し、約７０°の角度で、研がれ、あるいはホーニングされる。切断プロセスは、２つのブレード間のせん断プロセスに依存する。はさみのブレードが閉じられると、切断される材料は、ブレードの間で挟まれる。そして、それらの合せ面に隣接する各ブレードのファセット上のコーナー「エッジ」が、高精度でホーニングされる場合、材料がブレードによって挟まれているため、合わせブレードは、当該材料を切断する。コーナー「エッジ」が、わずかでも曲線的である場合、ブレードは、切断することなく、材料を挟み、ジャムを引き起こすこととなる。
【０００７】
したがって、はさみによって材料を挟むのではなく、切断するために、各ファセットに沿ったコーナー「エッジ」が、高精度で研がれる（ホーニングされる）ことが必要である。つまり、各ブレードファセットの切断コーナーが、極微細な研磨グリットを使用する高精度ホーニングステップによって、精度良く形成されることが必要である。
【発明を実施するための最良の形態】
【０００８】
図面
図１は、１対の開かれたはさみブレードの側面図である。
【０００９】
図２は、はさみブレードのファセットの側面図である。
【００１０】
図３は、本発明に係る手動式はさみ研ぎ器の部分断面側面図である。
【００１１】
図４は、右利き用操作のために用意された、本発明に係る手動式はさみ研ぎ器の斜視図である。
【００１２】
図５は、図４に示される研ぎ器の平面図である。
【００１３】
図６Ａは、図４に示される研ぎ器の側面図である。
【００１４】
図６Ｂは、複数のアングルガイドを有する研ぎ器の、図６Ａと類似する図である。
【００１５】
図６Ｃは、左利き用操作のために用意された研ぎ器の、図６Ａおよび図６Ｂと類似する図である。
【００１６】
図７は、図４に示される研ぎ器の底面図である。
【００１７】
図８は、図４〜７に示される研ぎ器に使用可能であるガイドの斜視図である。
【００１８】
図９は、図８に示されるガイドの正面図である。
【００１９】
図１０は、図９〜１０に示されるガイドの側面図である。
【００２０】
図１１は、本発明に係る研ぎ器の底面図であり、閉じられた貯蔵区画を示している。
【００２１】
図１２Ａは、図１１に示される研ぎ器の底面図であり、貯蔵区画が開かれている。
【００２２】
図１２Ｂは、図１１および図１２Ａの研ぎ器において使用されるハッチカバー部を示している平面図である。
【００２３】
詳細な説明
図１は、代表的な１対の開かれたはさみブレード１および３を示している。カッティングファセット９および１１は、特にエッジの近傍の選択角度ＡおよびＢにおいて、精度良くホーニングされ、コーナー５および７において、鋭いエッジを残すことが必要である。ブレードが良好に切れるようになるためには、そのまさしくそのエッジにおいて、コーナー５および７は、１００００分の約５インチあるいはそれ以下の精度を有し、幾何形状的に完全でなければならない。角度ＡおよびＢの精密な大きさは、形成されるカッティング「エッジ」が備える完全に比べれば、重要でない。最も普及しているはさみブレードは、一般的に、７０°のオーダーの角度で、研削（ｇｒｏｕｎｄ）およびホーニングされる。しかし、専門的ないわゆるナイフエッジのはさみブレードは、５０°までの低い角度を有する。明らかに、これらの２タイプのはさみは、非常に異なっており、非常に異なるが、正確な角度で、プレ研ぎ、研ぎおよびホーニングされることを必要とする。
【００２４】
カッティング「エッジ」は、比較的微細な研磨グリットを使用し、高精度でホーニングされることで、１００００分の５インチより少ない、幾何形状的な不完全を有する非常に鋭い「エッジ」が得られる。発明者が示しているのは、手動式手段によるはさみに対する非常に鋭いエッジの生成が、はさみ用の非常に良好な精度を有するガイドと、ホーニングし最終的な「エッジ」を生成するための極微細な研磨グリットとに、依存していることである。しかし、明らかに、手動かつ微細なグリットを使用し、カッティングエッジファセットをホーニングする試みは、退屈かつ時間がかかる労力である。ここにおいて説明されるように、研ぎプロセスは、エッジに直近しホーニングされる小さな第２ファセット上で、コーナー「エッジ」を形成することによって、非常に短縮化することが可能である。この方法において、よりはるかに高精度のコーナー「エッジ」を、より少ない手動労力で、非常に迅速に、生成および形成することが可能である。本発明者が知っている手動式研ぎ器のどれ一つとして、このような高精度のコーナー「エッジ」を、容易に生成するための十分な精度の手段を、提供するようにデザインされておらず、ファセット全体をプレ研ぎするための第１アングルガイドと、適当な研磨グリット手段を使用し、小さなコーナーファセットをホーニングするための第２アングルガイドとを有するデュアルアングルガイドシステムを使用していない。
【００２５】
例えば、米国特許第３７１６８９号に記載されているように、従来技術に係る手動式はさみ研ぎ器は、使用することが困難であり、退屈なほど遅く、また、研ぎ後のはさみの性能は、プロ用のはさみ研ぎ器によって生成することが可能であるエッジに比べて、はるかに劣っていた。このような手動式研ぎ器の汎用性および良好な精度の欠如は、簡単に交換自在の高精度アングルガイドのセットと、適当なグリットサイズを有する交換自在のダイヤモンド研磨材のセットとを使用し、プロの精度およびそれゆえの鋭さを有するエッジを生成するために必要とされるホーニングおよびプレ研ぎ（二番取り（ｒｅｌｉｅｖｉｎｇ））ステップを、許容および最適化することによって、本発明者により克服された。
【００２６】
ここで説明される新規な研ぎ装置は、高精度研ぎアングルガイドのセットと、微細な研磨グリットパッドおよび粗い研磨グリットパッドを含んでいる研磨材のセットと、を提供する。微細な研磨グリットパッドは、高精度のホーニングされたコーナーエッジを、ホーニングするために必要である。粗い研磨グリットパッドは、微細なホーニンググリットが、ホーニング角度において、もはや効果的でなくなる場合、その後において、ブレードフェース全体を、プレ研ぎ（二番取り）するために必要である。粗いグリットは、妥当な時間で、ブレードの合せ面に関し、より小さい角度のカッティングファセットから、相当な金属を除去するために必要である。ホーニングのために使用される角度は、最適的には、粗いグリットを使用してブレードフェースが研削される二番取り（プレ研ぎ）角度より、数度のみ大きい。ここで説明される新規な装置は、磁気手段が組み入れられており、研磨パッドを迅速かつ容易に交換することを、便利としている。ダイヤモンド研磨材は、ブレードを研ぐために必要な時間を最小にするために、好ましい。重要なことには、ここで説明される研ぎ器構造体およびアングルガイドの物理的デザインは、ガイドを手動式で取り付け、また、スライド式に取り外すことを、許容する。したがって、左利きあるいは右利きの人が、アングルガイドを、容易に使用し、左利き用または右利き用はさみを、研ぐことが可能となる。
【００２７】
図２は、粗いグリットを使用し、より小さい角度Ａ１で研削され、かつより大きい角度Ａ２でホーニングされた、はさみブレードのファセット９を示している。明らかになったことは、ファセット９の全体から金属を毎回除去することによって、研ぎおよび再研ぎ（ｒｅｓｈａｒｐｅｎ）を試みる場合、手動式手段によってはさみを研ぐことは、非実際的に面倒である。
【００２８】
図２の角度Ａ１より数度大きい角度Ａ２で、小さなファセットを生成することによって、再研ぎすることは、著しく容易である。ファセット全体が最初に、より小さい角度Ａ１でプレ研ぎされる場合、より大きい角度Ａ２で、小さいファセットを形成するためには、ごくわずかな金属の除去のみしか必要されないことは、明らかである。角度Ａ２では、除去が必要である金属が、より少ないため、極微細な研磨材を使用し、より完全なファセット、角度およびエッジを、生成することが可能であり、かつ、それは迅速に実行することができる。ファセット全体のプレ研ぎ（二番取り）を、より粗く、よりアグレッシブな研磨グリットを使用して実行し、より大きいファセットエリアを、手動式に確立するために必要とされる時間を、削減することが可能であることも、同様に明白である。約１００〜２００のグリットのダイヤモンド研磨材を使用することで、多くのはさみのファセット全体を、数分のみで、プレ研ぎ（二番取り）できる一方、グリットが６００あるいは１２００である場合、それは、最高３０分を要することが分かった。プレ研ぎ／二番取りは、より粗いグリットを用いて、適度に速く実行することが可能であるが、最終的なエッジをホーニングするためには、同じグリットは、あまりにも粗すぎる。つまり、より粗いグリットは、高精度に形成されたコーナーエッジを、生成することができない。若干大きい、例えば、２°〜５°大きい角度で、より小さいエリアのファセットを生成するため、極微細なグリットを使用し、１分未満で、そのファセットおよび最終的な研ぎエッジを、微細にホーニングすることが可能である。この実施の形態が示している利点は、第１の大きいブレードファセットの角度より、ちょうど数度大きい角度で、小さい第２ファセットをホーニングすることであり、また、別個（ｓｅｐａｒａｔｅ）のプレ研ぎ（二番取り）角度および若干大きい角度を、迅速かつ便利に選択し、小さいファセットおよびコーナーエッジをホーニングするための能力を有する研ぎ器をデザインすることである。プレ研ぎおよびホーニングステップの各々における適当な角度のこの選択は、別個の高精度ガイドを、使用することによって、あるいは、ブレードファセットをプレ研ぎするため又は若干大きい角度で最終的な小さいファセットをホーニングするために便利にセットすることが可能である調整自在のアングルガイドを、提供することによって、達成することが可能である。
【００２９】
図３は、単一の調整自在のガイドを使用し、はさみブレードのプレ研ぎ角度およびホーニング角度を、高精度にセットするための機構１３を示している。アングルガイド１５は、リンク１７を介してポスト１９によって支持される。調整ねじ２１は、リンク１７を、ポスト１９およびアングルガイド１５に、固定する。調整ねじは、弛めたり締めたりしたり、また、角度ＡｌあるいはＡ２を調整することが可能であり、また、アングルガイド１５を、プレ研ぎするためのＡ１および最終的なファセットをホーニングするためのＡ２に、セットすることが可能である。断面が示されるはさみブレード１を、研磨表面２３を交差して前後に移動させることで、ブレード上の適当なファセットを生成することができる。はさみブレードの合せ面２は、アングルガイドのフェース１５と密着して、保持される必要がある。容易に交換自在であり、かつ、このような研ぎ器構造体上へ、スライド式に長手方向に滑ることができ、また、固定具を必要とすることなく保持できる、例えば、図４に示されるような、交換自在のアングル制御ガイド２７を使用することは、便利であり、信頼性を有し、また、他に類を見ないほど万能であることが、証明された。ガイドを滑らせて外し、それを、容易に適用、保持および取り外しされるように、同様にスライド式に保持されかつしっかりと研ぎ器構造体に取り付けられている、異なる角度の別のものと、交換することが、非常に効率的であることが、証明された。
【００３０】
購入される最も一般的なはさみは、約７２°のブレードファセットを有するため、７５°〜７７°のホーニングアングルガイド、および、７２°のプレ研ぎアングルガイドをセットすることは、便利である。そして、極微細あるいは超微細研磨材、好ましくは、約６００〜１２００のグリットのダイヤモンドが、例えば、７５°のホーニングのために使用され、当初の７２°のファセットより大きい、３°の角度がついた小さなファセットが、生成される。再研ぎが多くなされ、ホーニングされたファセットの面積が、実質的に大きくなり、微細なグリットによる研ぎが、長くかかりすぎることとなると、７５°のホーニングガイドが取り外され、また、６００あるいは１２００のグリットのパッドが、取り外される。そして、７２°のプレ研ぎガイドと、約１００〜３００のグリットのより粗いダイヤモンドパッドとが、研ぎ器に取り付けられる。その後、ブレードファセット全体は、より粗いグリットによって、プレ研ぎされる。購入されたはさみのブレードに、７２°以上の角度がついている場合、最初に、７２°のガイドおよび粗いグリットを使用してブレードをプレ研ぎし、当初の角度が、ホーニング角度より小さいことを保証することが、最も適切である。この方法においては、ホーニング角度がより大きく、かつ、微細なグリット研磨材が、エッジにおいて、高精度の小さなファセットを容易にかつ迅速に生成し、また、エッジの非常な鋭さおよび耐久性が維持されることが、常に保障される。
【００３１】
本発明に従って製造されたはさみ研ぎ器２５は、図４、図５および図６に示されるように、細長い研磨パッド２９を有するように、設計されており、アングルガイド２７が、スライド式に取り付けられている。アングルガイドは、研ぎ器２５の本体部３４に強固に保持されるが、容易にスライドするため、ユーザによって、研磨パッド２９の全長に沿ったどこの場所であっても、ブレードファセットをプレ研ぎあるいはホーニングすることが許容される。パッド２９のダイヤモンド研磨材が好まれるのは、ダイヤモンド結晶が、より硬く、金属をより効率的に研ぎかつ除去することだけでなく、研磨くずによって「負荷上昇（ｌｏａｄ−ｕｐ）」せず（他の一般的な研磨材と異なり）、また、使用によって、著しくは摩耗しないためである。ダイヤモンド研磨材の組み込みは、この手動式研ぎ器の効率を、著しく向上させる。
【００３２】
例えば、パッド２９の下方に配置される、図７の剥離部位に示されるような、磁気パッド状構造体つまりシート３１は、図５、図６Ａ、図６Ｂ、図６Ｃおよび図７に示される、強磁性金属が裏打ちされた、研磨材被覆パッド２９を、研ぎ器２５のトップ部に強固に保持するための、特に便利な手段であることを証明した。研ぎ器２５の本体部３４に取り付けあるいは付着されるこの磁気シート３１は、プレ研ぎおよびホーニングステップのための必要に応じて、異なる研磨グリットのパッド２９を交換することを、固定具なしで、極めて容易とする。パッド２９の近傍に配置される本体部３４の凹部２４（図５および図７）は、ユーザが、本体部３４からパッド２９を持ち上げ、パッドを取り外すことを、可能とする。このように、図５および図７は、図５に示される中心長手方向の溝を有する微細なグリットパッド、および、図７に示される溝が未形成の粗いグリットパッドを例に挙げて、２つの異なるパッドを示している。
【００３３】
この研ぎ器の独特なデザインは、左利きあるいは右利きの人が、左利き用あるいは右利き用はさみを、容易に使用することを可能とする。図６Ａに示される研ぎ器２５の場合、右利きの人は、左手でハンドル３３を保持し、かつ、右手ではさみブレードを保持し、研ぐことができる。はさみが右利き用である場合、アングルガイド２７は、ユーザの右側に面して示されるように、開いた角度Ａによって、スライド式に位置決めすることが可能である。はさみが左利き用あるいは左利きの人用の場合、ユーザは、簡単に研ぎ器を１８０°逆にすることが可能であり、開いたガイド角度Ａは、図６Ｃに示されるユーザの左側に面することとなる。あるいは、左利き用はさみかつ左利きのユーザのため、ガイド２７を、完全に取り外し、１８０°回転させ、そして、ハンドル３３に向かって角度が付いたガイド面を使用し、研ぎ器の背面に取り付けることが可能である。ユーザは、ハンドルから十分な距離をおいて、ガイドを位置決めし、ガイド面の下方の研磨パッド２９を露出させることが必要であり、また、研ぎ器を保持している手の指を使用し、ユーザは、ガイドをそのポジションに維持することとなる。しかし、好ましくは、左利きのユーザあるいは左利き用はさみのため、研ぎ器自体は、図６Ａに示されるポジションから図６Ｃに示されるポジションに、簡単に１８０°逆にされる。研ぎ器およびガイド２７の両者におけるこの反転性は、どちらの利き手の人であっても、研ぎ器を快適に保持し、どちらの利き手用はさみであっても研ぐことを、独特的に可能とする。
【００３４】
このデザインの汎用性は、図６Ｂに示されるように、適当に角度がつけられた２つ以上の高精度アングルガイド２７を、研ぎ器構造体上に、同時に配置し、便利に使用することを（図５および図６参照）、ユーザに可能とさせる。
【００３５】
本発明の好ましい実施の形態において、研ぎ器２５は、テーブルのエッジあるいは他の支持面に隣接して配置される。ユーザは、ハンドル３３を把握することによって、研ぎ器を保持する。ガイド２７は、そのガイド面３７が、ハンドル３３から離れて延長するように、配置される。本発明の有利な特徴は、ブレードファセットを研ぐ際に、研磨パッド２９の全長を、本質的に使用するための能力である。例えば、図６Ａおよび図６Ｃに示される極端な位置において、ガイド２７は、本体部３４上のショルダー部２２に対して配置される。このポジションにおいて、ガイド面３７は、ハンドル３３に向った最短ポジションにある研磨パッド２９の上方にある。異なる研ぎ操作を実行するときに、ユーザは、ガイド２７のスリーブ部位に、ユーザの指を配置し、ガイド２７をスライドさせて、ハンドル３３からさらに離れさせ、そして、指を使用し、前記ポジションでガイド２７を保持することが可能である。したがって、ユーザが、ハンドル３３を保持し、ガイド２７のスリーブ部位に、指を配置し、研磨パッド２９に沿った異なるロケーションで、ガイド２７を位置決めするこの技術は、異なる研ぎ操作の間において、パッド２９の増加したエリアが使用されることを許容するため、研磨パッド２９の使用は、１つのロケーションに限定されず、また、早期に摩滅しない。
【００３６】
図８、図９および図１０は、研ぎ器構造体２５上へスライド式に着脱自在に取り付け可能である代表的なガイド２７の３つの図を示している。このようなガイドは、スリーブ部位３９の輪郭に合わせて形成されることで、研ぎ器本体部を強固に保持し、また、図７の磁石３１に強固かつ磁気的に取り付けられる金属裏打ち研磨パッド２９上をスライドさせることが可能である。示されるガイド２７は、ガイド面３７を経由しスリーブ３９との接続部に到達している穴部（窓部）２８を、有しており、図６Ａに示されるように、そのフェースが、ガイド面３７に対して位置合せされる場合、はさみブレードを、容易に観察することが可能である。研磨パッド２９は、十分に長いため、図６Ｂに示されるように、２つあるいはそれ以上のガイド２７を、同時に取付け、角度Ａｌでプレ研ぎし、あるいは、交互に、不規則なはさみブレード（約７２°の角度Ａ２で）をホーニングし、そして、約５３°の角度Ｂで、ナイフエッジブレードを、共通にホーニングすることが可能である。研ぎ器に、任意のはさみのための妥当な角度を有するアングルガイドを提供することが可能である。ナイフエッジはさみは、一般的により薄く、ファセットは十分に小さいため、ホーニング角度の単一アングルガイドは、通常充分である。ホーニンググリットは、一般的に、より小さなファセットエリアに関し、十分に高速（ｆａｓｔ）ため、プレ研ぎ（二番取り）アングルガイドの必要性が少ない。
【００３７】
図８および図９に最も良く示されるように、略逆Ｕ字形ガイド２７の本体部あるいはスリーブ３９の側壁３０は、研ぎ器２５の本体部３４の上部壁および側壁と、略一致するように形成される。側壁３０は、弾性とすることで、本体部３４に対してぴったりかつスライド自在に、適合させることが可能である。各壁３０は、本体部３４の底部壁の下方において適合する内向きフランジ３２を有しており、本体部３４に対する各ガイド２７の適当な取り付けを、保証する。
【００３８】
ガイド２７を、単にスライドさせて本体部３４から完全に分離させることで、各ガイド２７は、本体部３４から取り外しすることが可能である。あるいは、ガイド２７の側壁３０が弾性を有する場合、側壁を十分に広げることで、ガイド２７を取り外しすることが可能である。取り外しが、ガイド２７をスライドさせ、本体部３４から分離することによる場合、側壁３０は、弾性である必要はない。したがって、あるガイドを、別のガイドに交換する際、ガイド２７を、本体部３４上を長手方向にスライドさせて取り外し、そして、再度、本体部３４に取り付けることが可能である。
【００３９】
図８および図１０に示されるように、ガイド面３７は、ガイド２７の本体部あるいはスリーブ３９のプレート状上向き拡張部の表面であり、所望の角度で傾斜している。
【００４０】
図１１、図１２Ａおよび図１２Ｂに示されるこの独特な研ぎ器デザインは、各種の研磨パッド２９の貯蔵のために十分大きな研ぎエリアの下に、便利な貯蔵区画３５を組み入れている。図１１は、研ぎ器２５の底面図であり、区画は、ハッチカバー部３６によって閉じられている。図１２Ｂに示されるように、カバー部３６は、多様な電気制御部材や玩具などのバッテリ区画のために通常使用される着脱自在なロック構造体の一種と類似するばねクランプクロージャ４４およびタブ３８を、含んでいる。着脱自在なロック構造体の他のタイプも同様に、ハッチカバー部３６のために使用することが可能である。図１２Ａは、研ぎ器２５の底面図であり、カバー部３６が取り外しされた場合における露出された区画３５を示している。そこに示されるように、研ぎ器２５は、クランプクロージャ４４による係合のための相補的構造体４０、および、タブ３８を収容するための穴部４２を有する。
【００４１】
図１１に示されるように、ガイドフランジ３２の終端は、カバー部３６の取り外しを妨害しないように、カバー部３６あるいはカバー部３６の内方に位置している。
【００４２】
本開示は、多種多様なはさみに関し、プロ品質のカッティングエッジを迅速かつ容易に形成することが、初めて可能となったユニークな万能手動式はさみ研ぎ器を、記述している。
【図面の簡単な説明】
【００４３】
【図１】１対の開かれたはさみブレードの側面図である。
【図２】はさみブレードのファセットの側面図である。
【図３】本発明に係る手動式はさみ研ぎ器の部分断面側面図である。
【図４】右利き用操作のために用意された、本発明に係る手動式はさみ研ぎ器の斜視図である。
【図５】図４に示される研ぎ器の平面図である。
【図６Ａ】図４に示される研ぎ器の側面図である。
【図６Ｂ】複数のアングルガイドを有する研ぎ器の、図６Ａと類似する図である。
【図６Ｃ】左利き用操作のために用意された研ぎ器の、図６Ａおよび図６Ｂと類似する図である。
【図７】図４に示される研ぎ器の底面図である。
【図８】図４〜７に示される研ぎ器に使用可能であるガイドの斜視図である。
【図９】図８に示されるガイドの正面図である。
【図１０】図９〜１０に示されるガイドの側面図である。
【図１１】本発明に係る研ぎ器の底面図であり、閉じられた貯蔵区画を示している。
【図１２Ａ】図１１に示される研ぎ器の底面図であり、貯蔵区画が開かれている。
【図１２Ｂ】図１１および図１２Ａの研ぎ器において使用されるハッチカバー部を示している平面図である。
【図１】
2007502217.tif 000003
【図２】
2007502217.tif 000004
【図３】
2007502217.tif 000005
【図４】
2007502217.tif 000006
【図５】
2007502217.tif 000007
【図６Ａ】
2007502217.tif 000008
【図６Ｂ】
2007502217.tif 000009
【図６Ｃ】
2007502217.tif 000010
【図７】
2007502217.tif 000011
【図８】
2007502217.tif 000012
【図９】
2007502217.tif 000013
【図１０】
2007502217.tif 000014
【図１１】
2007502217.tif 000015
【図１２Ａ】
2007502217.tif 000016
【図１２Ｂ】
2007502217.tif 000017
【手続補正書】
【提出日】平成18年2月14日(2006.2.14)
【手続補正１】
【補正対象書類名】特許請求の範囲
【補正対象項目名】全文
【補正方法】変更
【補正の内容】
【特許請求の範囲】
【請求項１】
取付けられた取手手段を有する支持構造体、
前記支持構造体上に保持された少なくとも１つの研磨パッド、および、
前記構造体に取り付け自在かつ異なる角度で研ぐための、１つ以上の高精度アングルブレードガイドを有し、
前記高精度アングルブレードガイドは、前記支持構造体に取り付けられ、スライド式かつ着脱自在に保持されており、
前記支持構造体に対する前記ガイドの取り付け、および、前記支持構造体からの前記ガイドの取り外し、および、前記ガイドの交換を、容易としている
ことを特徴とする
はさみおよびシャーの右利き用あるいは左利き用ブレードの一方を研ぐための手動式研ぎ器。
【請求項２】
前記少なくとも１つの研磨パッド上の研磨材は、ダイヤモンドであることを特徴とする請求項１に記載のはさみおよびシャーのブレードを研ぐための手動式研ぎ器。
【請求項３】
前記パッドは、前記支持構造体の本体部位に取り付けられており、
前記ガイドは、前記本体部位とサイズおよび形状が合致し、かつ前記パッド上のスライド自在に取り付けられる略逆Ｕ字形スリーブを有し、
前記スリーブは、上方へ延長しているプレートを有し、
前記プレートは、前記パッドの上方に位置するガイド面を含んでいる
ことを特徴とする請求項１に記載のはさみおよびシャーのブレードを研ぐための手動式研ぎ器。
【請求項４】
前記プレートは、前記スリーブから離れるように傾斜し、また、前記プレートを貫通する少なくとも１つの穴部が形成されており、それを介して見ることが許容されることを特徴とする請求項３に記載のはさみおよびシャーのブレードを研ぐための手動式研ぎ器。
【請求項５】
前記本体部は、前記本体部位の底部の下に、内向き延長フランジを含んでいることを特徴とする請求項４に記載のはさみおよびシャーのブレードを研ぐための手動式研ぎ器。
【請求項６】
前記ガイドは、前記支持構造体からスライド式に取り外し自在であることを特徴とする請求項１に記載のはさみおよびシャーのブレードを研ぐための手動式研ぎ器。
【請求項７】
前記研磨パッドの下方で、前記本体部位に区画が存在し、また、前記区画へのアクセスを選択的に開閉するためのカバー部が存在することを特徴とする請求項１に記載のはさみおよびシャーのブレードを研ぐための手動式研ぎ器。
【請求項８】
前記区画には、追加的パッドが貯蔵されており、前記パッドおよび前記追加的パッドは、異なる研磨特性を有することを特徴とする請求項７に記載のはさみおよびシャーのブレードを研ぐための手動式研ぎ器。
【請求項９】
前記パッドにおける前記本体部位において前記パッドの取り外しを容易にするための凹部が存在することを特徴とする請求項８に記載のはさみおよびシャーのブレードを研ぐための手動式研ぎ器。
【請求項１０】
前記支持構造体には、複数の前記ガイドが取り付けられており、前記ガイドは、互いに異なる角度のガイド面を有することを特徴とする請求項１に記載のはさみおよびシャーのブレードを研ぐための手動式研ぎ器。
【請求項１１】
前記研磨パッドは、前記構造体に磁気的に取り付けられることを特徴とする請求項１に記載の手動式研ぎ器。
【請求項１２】
支持構造体、
異なる研磨特性を有する少なくとも２つの交換自在研磨パッドのセット、および、
１つ以上の高精度アングルガイドを有し、
前記パッドの各々は、前記支持構造体に対し、選択的かつ着脱自在に取り付けられており、
前記ガイドは、前記支持構造体に対し、取り付け、スライド自在に保持、および、取り外し自在であり、前記支持構造体に対する前記ガイドの取り付け、前記支持構造体からの前記ガイドの取り外し、および、前記支持構造体の交換を容易にしている
ことを特徴とする
はさみおよびシャーの右利き用および左利き用ブレードを研ぐための手動式研ぎ器。
【請求項１３】
前記支持構造体に区画が存在し、また、前記区画を選択的に開閉するためのカバー部が存在し、
前記パッドの１つは、前記アングルガイドにおいて、および下方で、前記支持構造体に取り付けられ、また、前記パッドの別の１つは、前記区画に貯蔵されている
ことを特徴とする請求項１２に記載のはさみおよびシャーのブレードを研ぐための手動式研ぎ器。
【請求項１４】
取付けられた取手構造体を有する支持構造体を有し、
前記支持構造体は、前記支持構造体上の１つ以上の高精度アングルガイドを、スライド式かつ反転自在に保持するようにデザインされ、逆利きの人による逆利き用はさみに対応し、また、
前記１つ以上の高精度アングルガイドは、前記支持構造体に対して、選択的かつ着脱自在に取り付けられていることを特徴とする
左利きの人あるいは右利きの人によって便利に右利き用および左利き用のはさみを研ぐための手動式研ぎ器。
【請求項１５】
取付けられた取手手段を有する支持構造体、
前記支持構造体に対し、それぞれ選択的に取り付け自在である研磨パッドのセット、および、
互いに異なる角度のガイド面を、それぞれ有する高精度アングルブレードガイドのセットを有し、
前記ブレードガイドの各々は、前記支持構造体に対し、選択的に取り付け自在であり、かつ、別のブレードガイドと交換のために、前記支持構造体から完全かつ容易に取り外し自在であり、それによって、
前記ブレードガイドは、前記支持構造体に対し、選択的かつ交換自在に取り付け自在であり、前記研磨パッドに向かって異なるアングルガイド面を選択的に配置する
ことを特徴とする手動式研ぎ器。
【請求項１６】
前記研磨パッドのセットは、互いに異なる研磨特性を有することを特徴とする請求項１５に記載の手動式研ぎ器。
【請求項１７】
前記支持構造体に位置する区画を、含んでおり、前記区画は、上部壁および前記上部壁に位置する細長い凹部を有し、前記研磨パッドの１つが、前記細長い凹部に取り付けられており、かつ、前記研磨パッドの残りが、前記区画に貯蔵されていることを特徴とする請求項１５に記載の手動式研ぎ器。
【請求項１８】
前記研磨パッドと前記上部壁との間の前記細長い凹部に取り付けられる磁気シートを、含んでおり、前記研磨パッドは、前記磁気シートに、磁気的に取り付けられていることを特徴とする請求項１７に記載の手動式研ぎ器。
【請求項１９】
前記細長い凹部と連通する、前記上部壁に位置する追加的凹部を有しており、前記細長い凹部から前記研磨パッドを持ち上げるためのエリアを提供することを特徴とする請求項１８に記載の手動式研ぎ器。
【請求項２０】
前記高精度アングルブレードガイドの各々は、前記ブレードガイドの各々を反転自在に取り付けるための取り付け構造体を含んでおり、前記ブレードガイドの各々のガイド面は、前記取手手段に向かってあるいは離れるように選択的に配置自在であることを特徴とする請求項１５に記載の手動式研ぎ器。
【請求項２１】
前記ブレードガイドが２つ以上、前記支持構造体に同時に取り付け自在であることを特徴とする請求項１５に記載の手動式研ぎ器。
【国際調査報告】
2007502217.tif 000018